(57)【要約】【課題】本発明は、クリックの信憑性を向上させることができ、ひいては企業の投資に対する効果を容易に図ることが可能な広告システムの提供を課題とする。【解決手段】企業サイト３へのリンクが張られたバナー広告を製作するインターネット上の管理サイト１と、該管理サイト１において製作されたバナー広告を貼り付けるインターネット上の個人サイト２とからなる。管理サイト１は、各企業のバナー広告を製作し、個人サイト２に貼り付けてもらい、ユーザが個人サイト２におけるバナー広告をクリックすると企業サイト３にリンクする。また管理サイト１は、バナー広告を貼り付けている個人サイト２に対して抽選を実行し、当選情報を個人サイト２と企業サイト３に通知する。【選択図】      図１
2008027265.tif 000002
【特許請求の範囲】
【請求項１】
企業サイトへのリンクが張られたバナー広告を製作するインターネット上の管理サイトと、該管理サイトにおいて製作されたバナー広告を貼り付けるインターネット上の個人サイトとからなり、ユーザが個人サイトにおけるバナー広告をクリックすると企業サイトにリンクする広告システムであって、
前記管理サイトは、
各部を統括的に制御する制御手段と、
企業のバナー広告を製作するバナー広告製作手段と、
該バナー広告製作手段により製作されたバナー広告を個人サイトに送信するバナー広告送信手段と、
企業のバナー広告を貼り付けた個人サイトに対して当該企業に対応する抽選を実行する抽選実行手段と、
該抽選実行手段による当選情報を個人サイトおよび企業サイトに通知する当選情報通知手段とを備えることを特徴とする広告システム。
【請求項２】
前記管理サイトは、複数の企業についてバナー広告を制作し、各企業ごとに異なる抽選を実行するものとなされている請求項１に記載の広告システム。
【請求項３】
前記管理サイトは、抽選の期間、商品内容、賞金額、および当選数などの抽選内容が任意に設定可能なものとなされている請求項１または請求項２に記載の広告システム。
【請求項４】
前記管理サイトは、前記個人サイトにおいて抽選が終了した企業のバナー広告を、抽選が終了していない別の企業のバナー広告に自動的に変更するものとなされている請求項ないし請求項３のいずれかに記載の広告システム。
【発明の詳細な説明】
【技術分野】
【０００１】
本発明は、Ｗｅｂサイトに企業サイトへのリンクを張り、ユーザがそこを経由して商品を購入したりする広告システムに関するものである。
【背景技術】
【０００２】
近年、パソコン、通信機器、およびインターネットの普及に伴って、インターネット上に仮想のネットショップを構築し、電子データの交換により消費者のパソコンから商品の注文を行う事業が盛んになってきている。そして、このインターネット上でのネットショップのシステムの一つとして、いわゆるアフィリエイトと呼ばれるものが知られている（特許文献１参照）。
【０００３】
このアフィリエイトは、企業サイトへのリンクが張られたバナー広告を製作する管理サイトと、該管理サイトにおいて製作されたバナー広告を貼り付けた個人サイトとからなり、ユーザがバナー広告をクリックすると企業サイトにリンクし、クリック数に応じて管理サイトから個人サイトへ報酬が支払われるものである。
【０００４】
これによれば、個人サイトは報酬による収益を得ることができるというメリットがある。一方、企業サイトは、自己に代わって商品紹介をしてもらえることはもとより、費用対効果として実際に売上が立ってから報酬の支払いが発生するというメリットがある。
【０００５】
【特許文献１】特開２００４−０２１５９８号公報
【発明の開示】
【発明が解決しようとする課題】
【０００６】
しかしながら、バナー広告を貼り付けている個人サイトは、クリック数やクリックした後の成約数が多ければ収益が上がるため、個人の無意味なクリックや組織票、悪質な場合はオートクリックプログラムを設けたりする場合がある。このため、クリックの信憑性が低く、企業は投資に対して効果が図りづらいという問題があった。
【０００７】
本発明は、上記問題に鑑みてなされたものであって、クリックの信憑性を向上させることができ、ひいては企業の投資に対する効果を容易に図ることが可能な広告システムの提供を課題とする。
【課題を解決するための手段】
【０００８】
本発明は、上記課題を解決するために、企業サイトへのリンクが張られたバナー広告を製作するインターネット上の管理サイトと、該管理サイトにおいて製作されたバナー広告を貼り付けるインターネット上の個人サイトとからなり、ユーザが個人サイトにおけるバナー広告をクリックすると企業サイトにリンクする広告システムであって、前記管理サイトは、各部を統括的に制御する制御手段と、企業のバナー広告を製作するバナー広告製作手段と、該バナー広告製作手段により製作されたバナー広告を個人サイトに送信するバナー広告送信手段と、企業のバナー広告を貼り付けた個人サイトに対して当該企業に対応する抽選を実行する抽選実行手段と、該抽選実行手段による当選情報を個人サイトおよび企業サイトに通知する当選情報通知手段とを備えることを特徴とする。
【０００９】
これによれば、個人サイトに対してクリック数に応じて報酬を支払うのではなく、抽選を実行するものであるため、無意味なクリックが低減し真のクリックにつながり、クリックの信憑性を向上させることができる。
【００１０】
また、前記管理サイトは、複数の企業についてバナー広告を制作し、各企業ごとに異なる抽選を実行するものとなされているのが好ましい。これにより企業ごとに異なる抽選により、多くの企業のバナー広告が個人サイトに貼り付けてもらうことができる。
【００１１】
また、前記管理サイトは、抽選の期間、商品内容、賞金額、および当選数などの抽選内容が任意に設定可能なものとなされているのが好ましい。これにより各企業ごとに抽選の期間、商品内容、賞金額、および当選数を容易に変更することができる。
【００１２】
また、前記管理サイトは、前記個人サイトにおいて抽選が終了した企業のバナー広告を、抽選が終了していない別の企業のバナー広告に自動的に変更するものとなされていのが好ましい。これにより個人サイトの管理者が特に意識していなくても、個人サイトには常に新しい企業の広告バナーを表示することができる。
【発明の効果】
【００１３】
本発明によれば、無意味なクリックが低減し真のクリックにつながるので、クリックの信憑性を向上させることができる。また、企業の投資に対する効果を容易に図ることができる上に、投資金額も抽選商品のみの小額の割に効果の高いメディアを提供することができる。さらに、企業の自主宣伝広告に見えづらく、その個人サイトが企業を支援しているように見える。
【発明を実施するための最良の形態】
【００１４】
次に本発明の一実施形態について説明する。
【００１５】
図１は、本実施形態に係る広告システムの構成概略図である。
【００１６】
図１においては、（１）は企業サイトへのリンクが張られたバナー広告を製作する管理サイト、（２）は該管理サイト（１）において製作されたバナー広告を貼り付ける各個人サイト、（３）はバナー広告を製作してもらう各企業サイトである。
【００１７】
これらのサイトはいずれも、インターネット上に存在して互いに接続可能な状態となされており、ユーザが個人サイト（２）におけるバナー広告をクリックすると、企業サイト（３）にリンクするものとなされている。具体的には、ユーザが自己の情報端末（以下、ユーザ端末という。図示略）をインターネットを介して個人サイト（２）に接続すると、ユーザ端末には個人サイト（２）の内容が表示され、その個人サイト（２）の内容中には企業のバナー広告が貼り付けられるようにして表示されている。そして、ユーザが当該バナー広告をクリックすると、いわゆるハイパーリンク機能によりユーザ端末と企業サイト（３）が接続され、ユーザ端末に企業サイト（３）の内容（企業広告や商品広告など）が表示される。これにより企業は、各個人サイト（２）を介して多くのユーザに自社を広告することができる。
【００１８】
前記管理サイト（１）は、企業サイト（３）へのリンクが張られたバナー広告を製作するものであり、図２に示すように、各部を統括的に制御する制御部（１１）と、各企業のバナー広告を製作するバナー広告製作部（１２）と、該バナー広告製作部（１２）により製作されたバナー広告を個人サイト（２）に送信するバナー広告送信部（１３）と、各企業ごとに抽選を実行する抽選実行部（１４）と、該抽選実行部（１４）による当選情報を個人サイト（２）および企業サイト（３）に通知する当選情報通知部（１５）とを備える。
【００１９】
前記バナー広告製作部（１２）は、各企業の要望に応じて各企業ごとにバナー広告を製作し、その際に各企業ごとに抽選の期間、商品内容、賞金額、および当選数などの抽選内容を設定するものである。
【００２０】
本実施形態では、例えば、図３に示すように、Ａ社の要望に応じてＡ社広告バナーを製作し、「抽選で１００万円が当たる」「○月○日当選発表」という抽選内容を設定する。また、Ｂ社の要望に応じてＢ社広告バナーを製作し、「毎月抽選で３名に１０万円が当たる」「毎月２５日当選発表」という抽選内容を設定する。さらにＣ社の要望に応じてＣ社バナー広告を製作し、「毎月抽選で１０名に限定グッズが当たる」「毎週月曜日当選発表」という抽選内容を設定する。これら抽選内容が設定されたバナー広告は管理サイト（１）に表示され、個人サイト（２）の要求に応じてバナー広告のソースプログラムがバナー広告送信部（１３）により送信され、バナー広告の広告部分のみが当該個人サイト（２）に貼り付けられる。なお、抽選の期間、商品内容、賞金額、および当選数などの抽選内容は任意に設定可能なものとしてもよい。
【００２１】
前記抽選実行部（１４）は、企業のバナー広告を貼り付けている前記個人サイト（２）に対して当該企業の抽選を実行するものである。
【００２２】
本実施形態では、例えば、図４に示すように、Ａ社については、設定した抽選日（○月○日）に１００万円が当たる抽選を実行し、その抽選結果として「Ａ社当選情報／１００万円の当選者は○○日記のＢＬＯＧサイトの管理者です」をＡ社バナー広告に関連付けて表示する。またＢ社については、毎月３名に１０万円が当たる抽選を実行し、その抽選結果として「Ｂ社当選情報／今週の当選者は○○サイトです」をＢ社広告バナーに関連付けて表示する。さらにＣ社については、毎週１０名に限定グッズが当たる抽選を実行し、その抽選結果として「Ｃ社当選情報／当選おめでとうございます。当選したサイトの管理者の方へ商品の受け渡し方法をメールで連絡します」をＣ社広告バナーに関連付けて表示する。
【００２３】
前記当選情報通知部（１５）は、個人サイト（２）からの要求に応じて当選情報を個人サイト（２）の管理者にメールにより通知したり、企業サイト（３）からの要求に応じて当選情報を企業にメールにより通知するものである。なお、当選情報は管理サイト（１）上においても表示されており、その表示されている当選情報を閲覧させることによっても個人サイト（２）の管理者に通知できるようになっている。
【００２４】
前記個人サイト（２）は、管理サイト（１）において製作されたバナー広告を貼り付けるものである。具体的には、個人サイト（２）の管理者が自己の情報端末から管理サイト（１）に接続し、管理サイト（１）において希望する企業のバナー広告のソースプログラムを得て、そのソースプログラムに基づいて個人サイト（２）上にバナー広告を表示させる。この個人サイト（２）の構成および動作は、従来のものと同一である。
【００２５】
前記企業サイト（３）は、バナー広告を制作してもらうサイトである。例えば、Ａ社、Ｂ社、Ｃ社は、それぞれ管理サイト（１）に対して自社のバナー広告の製作及び掲載を発注する。また、管理サイト（１）から自社に関する当選者情報を得て、その当選社情報に基づいて各個人サイト（２）に商品を発送する。この企業サイト（３）の構成および動作は、報酬支払いが商品の発送に変更された以外は従来のものと同一である。
【００２６】
次に本システムの動作について図１に基づいて説明する。なお、以下の説明及び図面において、「ステップ」を「Ｓ」と略記する。
【００２７】
まず、各企業Ａ社、Ｂ社、およびＣ社が、管理サイト（１）に対してバナー広告の製作及び掲載を発注する（Ｓ１）。
【００２８】
管理サイト（１）は、各企業の要望に応じてバナー広告製作部（１１２）により各企業の要望に応じて各企業ごとにバナー広告を製作し、その際に各企業ごとに抽選の期間、商品内容、賞金額、および当選数などの抽選内容を設定する（Ｓ２）。
【００２９】
個人サイト（２）の管理者が自己の情報端末から管理サイト（１）に接続し、管理サイト（１）において希望する企業のバナー広告のソースプログラムを得て、そのソースプログラムに基づいて個人サイト（２）上にバナー広告を表示させる（Ｓ３）。
【００３０】
次に管理サイト（１）は、前記抽選実行部（１４）は、バナー広告を貼り付けている前記個人サイト（２）に対して所定期間ごとに抽選を実行する（Ｓ４）。
【００３１】
この当選情報は、管理サイト（１）に接続することにより、または管理サイト（１）からのメールにより、当選情報通知部（１５）を介して個人サイト（２）の管理者に通知される（Ｓ５）。また、同じく当選情報は、企業サイト（３）にも通知される（Ｓ６）。
【００３２】
そして、各企業は、管理サイト（１）から通知された当選情報に基づいて、当選した個人サイト（２）の管理者に対して商品を発送する（Ｓ７）。
【００３３】
図５は本発明の他の実施形態に係る広告システムである。本システムでは、管理サイト（１）は、個人サイト（２）において抽選が終了した企業のバナー広告を、抽選が終了していない別の企業のバナー広告に自動的に変更するようになっている。例えば、最初は管理サイト（１）においてＡ社バナー広告を表示し、そのＡ社バナー広告を各個人サイト（２）に貼り付けられていたとする。そして、Ａ社の抽選が終了した場合、新たに抽選が始まる又は抽選期間中のＣ社のバナー広告のソースプログラムをＡ社バナー広告を貼り付けている個人サイト（２）に送信し、Ａ社バナー広告をＣ社バナー広告に自動的に変更して表示する。これにより個人サイト（２）の管理者が特に意識していなくても、個人サイト（２）には常に新しい企業の広告バナーを表示することができる。
【産業上の利用可能性】
【００３４】
本発明は、企業に代わって個人サイトにおいて広告を行うアフィリエイトに適用可能である。
【図面の簡単な説明】
【００３５】
【図１】本実施形態に係る広告システムの構成概略図である。
【図２】図１の管理サイトのハードウェア構成図である。
【図３】各企業の広告バナーの表示態様を示す図である。
【図４】各企業の当選情報の表示態様を示す図である。
【図５】他の実施形態に係る広告システムの構成概略図である。
【符号の説明】
【００３６】
１・・・管理サイト
２・・・個人サイト
３・・・企業サイト
【図１】
2008027265.tif 000003
【図２】
2008027265.tif 000004
【図３】
2008027265.tif 000005
【図４】
2008027265.tif 000006
【図５】
2008027265.tif 000007